(57)【要約】【解決手段】床１のための幅木装置が記載されており、この幅木装置が、幅木３と、壁側脚部６を形成する保持部２とを有しており、この保持部が、上方へと前記壁側脚部６に対して平行に突出する、前記幅木３の下方へと開口する収容溝部９内へと係合する保持ウェブ８を、前記幅木３の締付け収容のために有している。前記幅木３のための有利な固定条件を保障するために、前記収容溝部９が、断面において、前記壁側脚部６から離れるように傾斜した中心軸線１１を有することが提案される。
2019511648.tif 000002
【特許請求の範囲】
【請求項１】
床（１）のための幅木装置であって、この幅木装置が、
幅木（３）と、壁側脚部（６）を形成する保持部（２）とを有しており、
この保持部が、上方へと前記壁側脚部（６）に対して平行に突出する、前記幅木（３）の下方へと開口する収容溝部（９）内へと係合する保持ウェブ（８）を、前記幅木（３）の締付け収容のために有している様式の上記幅木装置において、
前記収容溝部（９）が、断面において、前記壁側脚部（６）から離れるように傾斜した中心軸線（１１）を有することを特徴とする幅木装置。
【請求項２】
断面において、前記収容溝部（９）の前記中心軸線（１１）は、前記保持部（２）の前記壁側脚部（６）と、７°と１５°との間、有利には、９°と１２°との間の角度αを成していることを特徴とする請求項１に記載の幅木装置。
【発明の詳細な説明】
【技術分野】
【０００１】
本発明は、床のための幅木装置に関し、この幅木装置が、
幅木と、壁側脚部を形成する保持部とを有しており、
この保持部が、上方へと前記壁側脚部に対して平行に突出する、前記幅木の下方へと開口する収容溝部内へと係合する保持ウェブを、前記幅木の締付け収容のために有している。
【背景技術】
【０００２】
床のための幅木の固定のために、保持部を設けることは公知であり（特許文献１）、この保持部が、壁部に固定可能な壁側脚部、および、この幅木のための保持ウェブを有しており、この幅木が、壁側脚部に対して壁部から離れるように位置ずれされた、壁平行な保持ウェブに差し込まれる。保持ウェブは、その際、下方へと開口する、同様に壁平行な、幅木の収容溝部内へと係合され、この幅木が、保持ウェブに設けられた締付けリブを用いて固持される。この幅木は、従って、壁平行に、保持部に対して差し込まれ、このことは、幅木が、比較的に小さな力でもって壁部から持ち上げられ得ることを誘起する。
【０００３】
他の公知の幅木装置（特許文献２）において、下方へと開口する収容溝部が、断面において、壁部から離れるように傾斜されている中心軸線を有している場合、保持部の保持ウェブのためのこの収容溝部は、壁部に固定された保持部に対しての幅木の差込みの際に、この幅木が壁部に対して押し付けられることの作用を有する、保持ウェブに対する幅木のための差込み方向を予め与える。
壁部における幅木の永続的な当接を保証するために、先ず第一に、収容溝部内における保持ウェブの増強された締付け収容が配慮されるべきであり、このことは、係止有歯部との結合状態における、保持ウェブのヘアピン形状の構成によって達成される。
このことによって条件付けられて、比較的に手間暇のかかる構造にもかかわらず、保持部の床側脚部からの、もしくは、壁部からの幅木の持ち上げを阻止するために、幅木は、付加的に、保持部の床側脚部でもって係止されねばならない。
【先行技術文献】
【特許文献】
【０００４】
【特許文献１】ヨーロッパ特許出願公開第２  １６９  １４３  Ａ２号明細書
【特許文献２】国際出願公開第０２／０６６７６４  Ａ２号パンフレット
【発明の概要】
【発明が解決しようとする課題】
【０００５】
従って、本発明の根底をなす課題は、床のための幅木装置を、簡単な、構造的な手段でもって、壁部における幅木の増強された当接が保障され得るように形成することである。
【課題を解決するための手段】
【０００６】
冒頭に記載された様式の幅木装置を出発点として、本発明は、課された課題を、収容溝部が、断面において、壁側脚部から離れるように傾斜した中心軸線を有することによって解決する。
【発明の効果】
【０００７】
この構成の結果として、保持部への幅木の差込みでもって、この幅木の収容溝部内へと係合された、保持部の保持ウェブは、この収容溝部の傾斜に基づいて、必然的に、壁側脚部から離れるように曲げられ、且つ、予負荷のもとに置かれ、このことは、幅木に対する適当な押付け力を壁部に対して横方向に生起する。
これに伴って、壁部における幅木の永続的な当接が改善されるだけでなく、幅木の収容溝部内における保持ウェブの締付け保持も、予負荷によって条件付けられる締付け力の増大の理由で増強される。保持ウェブの予負荷によって、保持部の強度の増大が与えられるという事態となり、このことによって、壁部における、幅木の固持が同様に補助される。
【０００８】
保持部の壁側脚部に対する、収容溝部の傾斜は、一方では、保持ウェブの十分な弾性的な予負荷を保障すべきであり、しかしながら、他方では、保持部への幅木の差込みが不必要に困難にしてはいけない。
このことから、収容溝部の断面の中心軸線は、保持部の壁側脚部と、７°と１５°との間、有利には、９°と１２°との間の角度αを成している。そのような傾斜範囲内における収容溝部でもって、異なる諸要件に有利に対応可能である。
【０００９】
図内において、本発明の主題が例示的に図示されており、しかも、床のための本発明に従う幅木装置が、概略的な断面図において示されている。
【図面の簡単な説明】
【００１０】
【図１】本発明に従う、床のための幅木装置の概略的な断面図である。
【発明を実施するための形態】
【００１１】
本発明に従う、床１のための幅木装置は、幅木３のための保持部２を有しており、この幅木が、壁部４に固定可能な、合成物質から成る保持部２を使って、床１および壁部４に対する当接状態において固持される。
保持部２は、床１において支持された床側脚部５、および、この床側脚部５からそびえ立っている壁側脚部６を形成しており、この壁側脚部が、壁部４におけるねじ固定のための長手孔状の貫通孔７を備えている。壁側脚部６は、保持ウェブ８を担持しており、この保持ウェブが、幅木３の、下方へと開口する収容溝部９内へと係合し、且つ、有利には、比較的に柔軟な合成物質から成る締付けリブ１０を有している。収容溝部９は、この収容溝部の断面の中心軸線１１が、保持部２の壁側脚部６に対して傾斜して延在し、且つ、この壁側脚部と、有利には、９°と１２°との間の角度αを成しているように整向されている。
【００１２】
少なくとも、傾斜角度αの大きさにおいて、弾性的に外側に曲げ可能な保持ウェブ８は、無負荷の状態において、保持部２の壁側脚部６に対して平行に延在し、且つ、これに伴って、そのことが図内において一点鎖線で示唆されているように、幅木３の収容溝部９と、同様に傾斜角度αを成している。
幅木３が、この幅木の固定のために、壁部４に固定された保持部２の保持ウェブ８に押し込まれた場合、構造的な初期設定の結果として、幅木３の収容溝部９内へと係合する保持ウェブ８は、壁側脚部６から離れるように曲げられ、且つ、幅木３に対する押付け力を壁部４の方向に生起する予負荷のもとに置かれ、従って、保持ウェブ８への幅木３の押し込みの際に、この幅木３が、適当な予負荷のもとで、壁部４に押し付けられた状態で保持される。
それに加えて、予負荷のもとで、幅木３の収容溝部９内において係合する保持ウェブ８は、この保持ウェブの増強された締付けを収容溝部９内において生起し、更に、保持ウェブ８の予負荷に基づいて、および、収容溝部９内におけるこの保持ウェブの案内に基づいて、保持部２の補強が生じるという事態になる。
【００１３】
保持ウェブ８の延長部分において、保持部２は、保護ストッパー１３を有する保護舌状部１２を形成しており、幅木３が床１における固定位置に載置している場合、この保護ストッパーが、幅木３内における長手方向溝１４によって形成された相手方ストッパーを裏からグリップする。この保護ストッパー１３でもって、付加的に、保持部２からの幅木３の予期せぬ引出しが阻止される。
【符号の説明】
【００１４】
１    床
２    保持部
３    幅木
４    壁部
５    床側脚部
６    壁側脚部
７    貫通孔
８    保持ウェブ
９    収容溝部
１０  締付けリブ
１１  中心軸線
１２  保護舌状部
１３  保護ストッパー
１４  長手方向溝
α    傾斜角度
【図１】
2019511648.tif 000003
【国際調査報告】
2019511648.tif 000004
2019511648.tif 000005
2019511648.tif 000006
2019511648.tif 000007